(57)【要約】基地局デバイス、端末デバイスと通信システムが開示された。ePDCCHを配置する基地局デバイスは、通信システムのシステム配置情報に基づいて物理リソースブロックペアPRB-pairにおける未使用のブランクリソースエレメントを特定するためのブランクリソースエレメント特定手段と、通信システムのシステム配置情報、端末デバイスの識別子情報及びチャンネル品質情報に基づいて、ePDCCHの端末デバイス探索空間における位置を指示するためのePDCCH位置指示情報を特定するためのePDCCH位置指示情報特定手段と、ePDCCH位置指示情報がロードされた付加のシグナリングを含むサブフレームが得られるようにePDCCH位置指示情報をブランクリソースエレメントにロードし、サブフレームを端末デバイスに送信するためのロード手段とを備える。【選択図】図２
2015536079.tif 000002
【特許請求の範囲】
【請求項１】
強化物理下りリンク制御チャンネルePDCCHを配置する基地局デバイスであって、
通信システムのシステム配置情報に基づいて物理リソースブロックペアPRB-pairにおける未使用のブランクリソースエレメントを特定するためのブランクリソースエレメント特定手段と、
前記通信システムのシステム配置情報、端末デバイスの識別子情報及びチャンネル品質情報に基づいて、前記ePDCCHの端末デバイス探索空間における位置を指示するためのePDCCH位置指示情報を特定するためのePDCCH位置指示情報特定手段と、
前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信するためのロード手段と、
を備える基地局デバイス。
【請求項２】
前記ePDCCH位置指示情報は、前記端末デバイス探索空間のアグリゲーションレベルを含み、前記端末デバイス探索空間のアグリゲーションレベルと前記端末デバイス識別子情報に基づいて前記ePDCCHの前記端末デバイス探索空間におけるスタート位置を特定する請求項１に記載の基地局デバイス。
【請求項３】
前記アグリゲーションレベルは、前記物理リソースペアPRB-pairに含まれた強化制御チャンネルエレメントeCCEの個数の整数倍である請求項２に記載の基地局デバイス。
【請求項４】
前記ePDCCH位置指示情報は、更に前記ePDCCHの前記端末デバイス探索空間におけるオフセット量を含む請求項２に記載の基地局デバイス。
【請求項５】
前記ロード手段は、前記ブランクリソースエレメントの数に基づいて、集中的なマッピング形式で前記付加のシグナリングを集中的に１つ又は複数の連続的なリソースブロックペアPRB-pairに配置し、または、分布的なマッピング形式で前記付加のシグナリングを分布的に複数のリソースブロックペアPRB-pairに配置する請求項１から４のいずれか１つに記載の基地局デバイス。
【請求項６】
前記ロード手段は、前記ブランクリソースエレメントの数に基づいて、前記付加のシグナリングに対して長さの異なるビットを採用してエンコードする請求項１から４のいずれか１つに記載の基地局デバイス。
【請求項７】
前記ロード手段は、前記端末デバイス識別子情報に基づいて、１つの端末デバイスが１つのリソースブロックペアPRB-pairに対応するマッピング形式、１つの端末デバイスが複数のリソースブロックペアPRB-pairに対応するマッピング形式、複数の端末デバイスが１つのリソースブロックペアPRB-pairに対応するマッピング形式、及び複数の端末デバイスが複数のリソースブロックペアPRB-pairに対応するマッピング形式のうちのいずれか１つに従って、前記端末デバイスと前記リソースブロックペアPRB-pairに対してマッピングを行う請求項１から４のいずれか１つに記載の基地局デバイス。
【請求項８】
同一のリソースブロックペアPRB-pairにおいて複数の端末デバイスがマッピングされた場合に、前記同一のリソースブロックペアPRB-pairにおいて異なる端末デバイスのePDCCH位置指示情報が区別されるように前記端末デバイス識別子情報を採用してスクランブリングを行う請求項７に記載の基地局デバイス。
【請求項９】
前記通信システムのシステム配置情報は、物理下りリンク制御チャンネルPDCCHにロードされたOFDMシンボルの個数と共有参考信号のポート数とを含む請求項１から４のいずれか１つに記載の基地局デバイス。
【請求項１０】
強化物理下りリンク制御チャンネルePDCCHを配置する方法であって、
通信システムのシステム配置情報に基づいて物理リソースブロックペアPRB-pairにおける未使用のブランクリソースエレメントを特定し、
前記通信システムのシステム配置情報、端末デバイスの識別子情報及びチャンネル品質情報に基づいて、前記ePDCCHの端末デバイス探索空間における位置を指示するためのePDCCH位置指示情報を特定し、
前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信する、
ことを含む方法。
【請求項１１】
強化物理下りリンク制御チャンネルePDCCHを検出する端末デバイスであって、
基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を得るするための復調手段と、
復調により得られたePDCCH位置指示情報に基づいて前記端末デバイス探索空間において前記ePDCCHを検出するための検出手段と、
を備える端末デバイス。
【請求項１２】
前記ePDCCH位置指示情報は、前記端末デバイス探索空間のアグリゲーションレベルを含み、前記端末デバイス探索空間のアグリゲーションレベルと端末デバイス識別子情報に基づいて前記ePDCCHの前記端末デバイス探索空間におけるスタート位置を特定する請求項１１に記載の端末デバイス。
【請求項１３】
前記アグリゲーションレベルは、前記物理リソースペアPRB-pairに含まれた強化制御チャンネルエレメントeCCEの個数の整数倍である請求項１２に記載の端末デバイス。
【請求項１４】
前記ePDCCH位置指示情報は、更に前記ePDCCHの前記端末デバイス探索空間におけるオフセット量を含む請求項１２に記載の端末デバイス。
【請求項１５】
前記復調手段は、端末デバイス識別子情報に基づいて、前記ePDCCH位置指示情報が配置されたリソースブロックペアPRB-pairを特定する請求項１１から１４のいずれか１つに記載の端末デバイス。
【請求項１６】
同一のリソースブロックペアPRB-pairにおいて複数の端末デバイスのePDCCH位置指示情報が存在した場合に、前記同一のリソースブロックペアPRB-pairにおいて異なる端末デバイスのePDCCH位置指示情報を区別するように前記端末デバイス識別子情報を採用してデスクランブリングをしてCRCチェックを行う請求項１５に記載の端末デバイス。
【請求項１７】
強化物理下りリンク制御チャンネルePDCCHを検出する方法であって、
基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を取得し、
復調により得られたePDCCH位置指示情報に基づいて前記端末デバイス探索空間において前記ePDCCHを検出する、
ことを含む方法。
【請求項１８】
基地局デバイスと端末デバイスとを備える通信システムであって、
前記基地局デバイスは、
通信システムのシステム配置情報に基づいて物理リソースブロックペアPRB-pairにおける未使用のブランクリソースエレメントを特定するためのブランクリソースエレメント特定手段と、
前記通信システムのシステム配置情報、端末デバイスの識別子情報及びチャンネル品質情報に基づいて、前記ePDCCHの端末デバイス探索空間における位置を指示するためのePDCCH位置指示情報を特定するためのePDCCH位置指示情報特定手段と、
前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信するためのロード手段と、を備え、
前記端末デバイスは、
前記基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を得るための復調手段と、
復調により得られたePDCCH位置指示情報に基づいて前記端末デバイス探索空間において前記ePDCCHを検出するための検出手段と、を備える通信システム。
【発明の詳細な説明】
【技術分野】
【０００１】
本発明は、無線通信分野に係り、具体的にユニバーサル移動体通信システム(UMTS)のLTE-Advanced(LTE-A)において強化物理下りリンク制御チャンネル(ePDCCH)を配置する基地局デバイスと方法、ePDCCHを測定する端末デバイス、方法及び通信システムに係る。
【背景技術】
【０００２】
ユニバーサル移動体通信システム(Universal Mobile Telecommunication System,UMTS)技術のロング・ターム・エボリューション(Long Term Evolution,LTE)は、第３世代パートナーシップ・プロジェクト(3rd Generation Partnership Project,3GPP)が近年に開始した最大の新技術の研究開発プロジェクトである。この技術は、「準4G技術」と見なすことができる。LTE-A(LTE-Advanced)は、LTEのフォローアップエボリューションであり、3GPPは、2008年にLTE-Aの技術的要求のレポートを完成し、LTE-Aの最小限の要求を提案し、即ち、下りリンクピークレートlGbps、上りリンクピークレート500Mbps、上り下りリンクピークスペクトル利用効率がそれぞれ15Mbps/Hz、30Mbps/Hzに達した。4G技術の様々なニーズ指標を満たすために、3GPPは、LTE-Aに対して幾つかの重要な技術を提案して、キャリアアグリゲーション、協調マルチポイント送受信、マルチアンテナ増強等を含む。
【０００３】
物理下りリンク制御チャネル(Physical Downlink Control Channel,PDCCH)は、下りリンク制御情報(Downlink Control Information,DCI)をロードし、一つ又は複数の端末デバイス上のリソース割当情報及びその他の制御情報を含む。LTEにおいて、上り下りリンクリソーススケジューリング情報がPDCCHによってロードされる。一般的に、一つのサブフレーム内に、複数のPDCCHを含むことができる。端末デバイスは、先ず、PDCCHにおけるDCIを復調する必要があって、その後対応するリソース位置に端末デバイス自身に属する物理下りリンク共有チャネル(Physical Downlink Shared Channel,PDSCH)を復調することができる。PDSCHはブロードキャストメッセージ、ページング、端末デバイスのデータなどを含む。
【０００４】
現在、LTE-R10の後のバージョンにおけるキャリアアグリゲーション、協調マルチポイント送受信、マルチアンテナ増強等の重要な技術のスケジューリングニーズに対して、3GPP標準化において、ePDCCH(Enhanced PDCCH)が提案されて、制御情報の容量を増大させ、ビームフォーミング、ダイバーシチ、セル間干渉の削除等の技術をサポートできる。ePDCCHにサポートされるフォーマットが益々多くなることに鑑みて、端末デバイス側におけるブラインドテストの回数が従来のバージョン(Rel.8/Rel.9)における４４回から現在のバージョン(Rel.10)における６０回に増え、未来のバージョンにおいても継続して増えることになる。PDCCHの設計において端末デバイスはそのPDCCHの配置位置を了解できず、探索区間の全体に亘ってブラインドテストを行う必要があり、更にPDCCHの設計において規則的な大量のブランクリソースエレメント(Resource
Element,RE)が存在していないため、シグナリングで指示することができない。従って、従来技術において端末デバイス側における計算の複雑度が高い。
【発明の概要】
【発明が解決しようとする課題】
【０００５】
従来技術におけるPDCCHと比べて、ePDCCHの設計において、多くのシステム配置において規則的な大量のブランクリソースエレメントが存在することになる。これに基づいて、本発明はePDCCHにおけるブランクリソースエレメントを活用し、ブランクリソースエレメントにおいて新たなシグナリングを増やし、端末デバイス側においてブラインドテストの回数を減少することにより、端末デバイス側の計算複雑度を低減した強化下りリンク制御チャンネル(ePDCCH)を配置する方法を提供した。
【課題を解決するための手段】
【０００６】
本発明の一実施例によれば、強化物理下りリンク制御チャンネルePDCCHを配置する基地局デバイスであって、通信システムのシステム配置情報に基づいて物理リソースブロックペアPRB-pairにおける未使用のブランクリソースエレメントを特定するためのブランクリソースエレメント特定手段と、前記通信システムのシステム配置情報、端末デバイスの識別子情報及びチャンネル品質情報に基づいて、前記ePDCCHの端末デバイス探索空間における位置を指示するためのePDCCH位置指示情報を特定するためのePDCCH位置指示情報特定手段と、前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信するためのロード手段と、を備える基地局デバイスを提供する。
【０００７】
前記の基地局デバイスにおいて、前記ePDCCH位置指示情報は、前記端末デバイス探索空間のアグリゲーションレベルを含み、前記端末デバイス探索空間のアグリゲーションレベルと、前記端末デバイス識別子情報とに基づいて前記ePDCCHの前記端末デバイス探索空間におけるスタート位置を特定する。
【０００８】
前記の基地局デバイスにおいて、前記アグリゲーションレベルは、前記物理リソースペアPRB-pairに含まれた強化制御チャンネルエレメントeCCEの個数の整数倍である。
【０００９】
前記の基地局デバイスにおいて、前記ePDCCH位置指示情報は、更に前記ePDCCHの前記端末デバイス探索空間におけるオフセット量を含む。
【００１０】
前記の基地局デバイスにおいて、前記ロード手段は、前記ブランクリソースエレメントの数に基づいて、集中的なマッピング形式で前記付加のシグナリングを集中的に1つ又は複数の連続的なリソースブロックペアPRB-pairに配置し、または、分布的なマッピング形式で前記付加のシグナリングを分布的に複数のリソースブロックペアPRB-pairに配置する。
【００１１】
前記の基地局デバイスにおいて、前記ロード手段は、前記ブランクリソースエレメントの数に基づいて、前記付加のシグナリングに対して長さの異なるビットを採用してエンコードする。
【００１２】
前記の基地局デバイスにおいて、前記ロード手段は、前記端末デバイス識別子情報に基づいて、一つの端末デバイスが一つのリソースブロックペアPRB-pairに対応するマッピング形式、一つの端末デバイスが複数のリソースブロックペアPRB-pairに対応するマッピング形式、複数の端末デバイスが一つのリソースブロックペアPRB-pairに対応するマッピング形式、及び複数の端末デバイスが複数のリソースブロックペアPRB-pairに対応するマッピング形式のうちのいずれか一つに従って、前記端末デバイスと前記リソースブロックペアPRB-pairに対してマッピングを行う。
【００１３】
前記の基地局デバイスにおいて、同一のリソースブロックペアPRB-pairにおいて複数の端末デバイスがマッピングされた場合に、前記同一のリソースブロックペアPRB-pairにおいて異なる端末デバイスのePDCCH位置指示情報が区別されるように前記端末デバイス識別子情報を採用してスクランブリングを行う。
【００１４】
前記の基地局デバイスにおいて、前記通信システムのシステム配置情報は、物理下りリンク制御チャンネルPDCCHにロードされたOFDMシンボルの個数と共有参考信号のポート数を含む。
【００１５】
本発明の別の実施例によれば、強化物理下りリンク制御チャンネルePDCCHを配置する方法であって、通信システムのシステム配置情報に基づいて物理リソースブロックペアPRB-pairにおける未使用のブランクリソースエレメントを特定し、前記通信システムのシステム配置情報、端末デバイスの識別子情報及びチャンネル品質情報に基づいて、前記ePDCCHの端末デバイス探索空間における位置を指示するためのePDCCH位置指示情報を特定し、前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信することを含む方法を提供する。
【００１６】
前記のePDCCHの配置方法において、前記ePDCCH位置指示情報は、前記端末デバイス探索空間のアグリゲーションレベルを含み、前記端末デバイス探索空間のアグリゲーションレベルと端末デバイス識別子情報に基づいて前記ePDCCHの前記端末デバイス探索空間におけるスタート位置を特定する。
【００１７】
前記のePDCCHの配置方法において、前記アグリゲーションレベルは、前記物理リソースペアPRB-pairに含まれた強化制御チャンネルエレメントeCCEの個数の整数倍である。
【００１８】
前記のePDCCHの配置方法において、前記ePDCCH位置指示情報は、更に前記ePDCCHの前記端末デバイス探索空間におけるオフセット量を含む。
【００１９】
前記のePDCCHの配置方法において、前記ロードのステップにおいて、前記ブランクリソースエレメントの数に基づいて、集中的なマッピング形式で前記付加のシグナリングを集中的に１つ又は複数の連続的なリソースブロックペアPRB-pairに配置し、または、分布的なマッピング形式で前記付加のシグナリングを分布的に複数のリソースブロックペアPRB-pairに配置する。
【００２０】
前記のePDCCHの配置方法において、前記ロードのステップにおいて、前記ブランクリソースエレメントの数に基づいて、前記付加のシグナリングに対して長さの異なるビットを採用してエンコードする。
【００２１】
前記のePDCCHの配置方法において、前記ロードのステップにおいて、前記端末デバイス識別子情報に基づいて、一つの端末デバイスが一つのリソースブロックペアPRB-pairに対応するマッピング形式、一つの端末デバイスが複数のリソースブロックペアPRB-pairに対応するマッピング形式、複数の端末デバイスが一つのリソースブロックペアPRB-pairに対応するマッピング形式、及び複数の端末デバイスが複数のリソースブロックペアPRB-pairに対応するマッピング形式のうちのいずれか一つに従って、前記端末デバイスと前記リソースブロックペアPRB-pairに対してマッピングを行う。
【００２２】
前記のePDCCHの配置方法において、同一のリソースブロックペアPRB-pairにおいて複数の端末デバイスがマッピングされた場合に、前記同一のリソースブロックペアPRB-pairにおいて異なる端末デバイスのePDCCH位置指示情報が区別されるように前記端末デバイス識別子情報を採用してスクランブリングを行う。
【００２３】
前記のePDCCHの配置方法において、前記通信システムのシステム配置情報は、物理下りリンク制御チャンネルPDCCHにロードされたOFDMシンボルの個数と共有参考信号のポート数を含む。
【００２４】
本発明の別の実施例によれば、強化物理下りリンク制御チャンネルePDCCHを検出する端末デバイスであって、基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を得るするための復調手段と、復調により得られたePDCCH位置指示情報に基づいて前記端末デバイス探索空間において前記ePDCCHを検出するための検出手段とを備える端末デバイスを提供した。
【００２５】
前記の端末デバイスにおいて、前記ePDCCH位置指示情報は、前記端末デバイス探索空間のアグリゲーションレベルを含み、前記端末デバイス探索空間のアグリゲーションレベルと端末デバイス識別子情報に基づいて前記ePDCCHの前記端末デバイス探索空間におけるスタート位置を特定する。
【００２６】
前記の端末デバイスにおいて、前記アグリゲーションレベルは、前記物理リソースペアPRB-pairに含まれた強化制御チャンネルエレメントeCCEの個数の整数倍である。
【００２７】
前記の端末デバイスにおいて、前記ePDCCH位置指示情報は、更に前記ePDCCHの前記端末デバイス探索空間におけるオフセット量を含む。
【００２８】
前記の端末デバイスにおいて、前記復調手段は、端末デバイス識別子情報に基づいて、前記ePDCCH位置指示情報が配置されたリソースブロックペアPRB-pairを特定する。
【００２９】
前記の端末デバイスにおいて、同一のリソースブロックペアPRB-pairにおいて複数の端末デバイスのePDCCH位置指示情報が存在した場合に、前記同一のリソースブロックペアPRB-pairにおいて異なる端末デバイスのePDCCH位置指示情報を区別するように前記端末デバイス識別子情報を採用してデスクランブリングをしてCRCチェックを行う。
【００３０】
本発明の別の実施例によれば、強化物理下りリンク制御チャンネルePDCCHを検出する方法であって、基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を取得し、復調により得られたePDCCH位置指示情報に基づいて前記端末デバイス探索空間において前記ePDCCHを検出する、ことを含む方法を提供した。
【００３１】
前記のePDCCHの検出方法において、前記ePDCCH位置指示情報は、前記端末デバイス探索空間のアグリゲーションレベルを含み、前記端末デバイス探索空間のアグリゲーションレベルと端末デバイス識別子情報に基づいて前記ePDCCHの前記端末デバイス探索空間におけるスタート位置を特定する。
【００３２】
前記のePDCCHの検出方法において、前記アグリゲーションレベルは、前記物理リソースペアPRB-pairに含まれた強化制御チャンネルエレメントeCCEの個数の整数倍である。
【００３３】
前記のePDCCHの検出方法において、前記ePDCCH位置指示情報は、更に前記ePDCCHの前記端末デバイス探索空間におけるオフセット量を含む。
【００３４】
前記のePDCCHの検出方法において、前記復調のステップは、端末デバイス識別子情報に基づいて、前記ePDCCH位置指示情報が配置されたリソースブロックペアPRB-pairを特定することを更に含む。
【００３５】
前記のePDCCHの検出方法において、同一のリソースブロックペアPRB-pairにおいて複数の端末デバイスのePDCCH位置指示情報が存在した場合に、前記同一のリソースブロックペアPRB-pairにおいて異なる端末デバイスのePDCCH位置指示情報を区別するように前記端末デバイス識別子情報を採用してデスクランブリングをしてCRCチェックを行う。
【００３６】
本発明の別の実施例によれば、基地局デバイスと端末デバイスとを備える通信システムであって、前記基地局デバイスは、通信システムのシステム配置情報に基づいて物理リソースブロックペアPRB-pairにおける未使用のブランクリソースエレメントを特定するためのブランクリソースエレメント特定手段と、前記通信システムのシステム配置情報、端末デバイスの識別子情報及びチャンネル品質情報に基づいて、前記ePDCCHの端末デバイス探索空間における位置を指示するためのePDCCH位置指示情報を特定するためのePDCCH位置指示情報特定手段と、前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信するためのロード手段と、を備え、前記端末デバイスは、前記基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を得るするための復調手段と、復調により得られたePDCCH位置指示情報に基づいて前記端末デバイス探索空間において前記ePDCCHを検出するための検出手段と、を備える通信システムを提供する。
【００３７】
本発明の別の実施例によれば、コンピュータ読取可能なコマンドを含むコンピュータ記憶媒体であって、コンピュータコマンドはコンピュータに、通信システムのシステム配置情報に基づいて物理リソースブロックペアPRB-pairにおける未使用のブランクリソースエレメントを特定し、前記通信システムのシステム配置情報、端末デバイスの識別子情報及びチャンネル品質情報に基づいて、前記ePDCCHの端末デバイス探索空間における位置を指示するためのePDCCH位置指示情報を特定し、前記ePDCCH位置指示情報がロードされた付加のシグナリングを含むサブフレームが得られるように前記ePDCCH位置指示情報を前記ブランクリソースエレメントにロードし、前記サブフレームを端末デバイスに送信することを実行させるコンピュータ記憶媒体を提供する。
【００３８】
本発明の別の実施例によれば、コンピュータ読取可能なコマンドを含むコンピュータ記憶媒体であって、コンピュータコマンドはコンピュータに、基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を取得し、復調により得られたePDCCH位置指示情報に基づいて前記端末デバイス探索空間において前記ePDCCHを検出することを実行させるコンピュータ記憶媒体を提供する。
【発明の効果】
【００３９】
本発明によれば、端末デバイス側においてブラインドテストの回数を低減することにより、端末デバイス側の計算複雑度を減少することができる。
【図面の簡単な説明】
【００４０】
以下の図面に基づいた本開示の実施例の説明を参照することにより、本開示の以上と他の目的、特徴と長所をより容易に理解するだろう。図面で、同じまたは類似の技術特徴または部材は同じまたは類似の符号で示す。
【図１】端末デバイスの探索空間を示す模式図である。
【図２】本発明の実施例によるePDCCHを配置する基地局デバイスを示すブロック図である。
【図３】付加のシグナリングを採用してePDCCH位置指示情報をロードすることを示す模式図である。
【図４Ａ】ePDCCH位置指示情報をロードする付加のシグナリングの集中的なマッピング形式を示す模式図である。
【図４Ｂ】ePDCCH位置指示情報をロードする付加のシグナリングの分布的なマッピング形式を示す模式図である。
【図５】端末デバイスとリソースブロックペアPRB-pairに対してマッピングを行うマッピング形式を示す模式図である。
【図６】あるPRB-pairにおけるブランクリソースエレメントに付加のシグナリングを配置することを示す模式図である。
【図７】ePDCCH位置指示情報がロードされた付加のシグナリングのエンコード及びマッピングプロセスを示す模式図である。
【図８】本発明の実施例によるePDCCHの配置方法を示すフローチャートである。
【図９】本発明の実施例によるePDCCHを検出する端末デバイスを示すブロック図である。
【図１０】本発明の実施例によるePDCCHの検出方法を示すフローチャートである。
【図１１】本発明の実施例による通信システムを示すブロック図である。
【発明を実施するための形態】
【００４１】
以下、図面を参照し、本開示の実施例を説明する。注意すべきことは、明らかにするために、図面と説明で本開示と関係ない、当業者が既知の部材と処理の表示と記述を省略した。
【００４２】
上記のように、端末デバイスはPDCCHの配置位置を得るために、全体の探索空間に亘ってブラインドテストを行う必要がある。従って、端末デバイスの探索空間の複雑度を低減できれば、端末デバイス側においてブラインドテストの回数を低減し、端末デバイス側の計算複雑度を低減することができる。図１を参照して端末デバイスの探索空間を説明する。図１は端末デバイスの探索区間を示す模式図である。
【００４３】
一つの探索空間は、所定のアグリゲーションレベルで複数の制御チャンネルエレメント(Control Channel Element,CCE)により構成された一連の選択可能な制御チャンネルセットであり、端末デバイスはこれらのセットに対してデコードして試みるべきである。アグリゲーションレベルとは、DCI情報ダイバーシチが送信される回数、即ち一つのPDCCHに含まれるCCEの個数である。PDCCHにおいて、１、２、４及び８の４つの異なるアグリゲーションレベルに対して、１つの端末デバイスについて複数の探索空間が存在する可能性がある。サブフレームごとにおいて、端末デバイスは探索空間ごとにCCEにより構成された全ての可能な制御チャンネルフォーマットに対してデコードして試みる。CRCチェックが成功であれば、制御チャンネルのコンテキストは当該端末デバイスに対して有効であり、且つ当該端末デバイスは関連の情報（例えばスケジューリング割当、スケジューリング要求など）を処理する。
【００４４】
図１に端末デバイス１と端末デバイス２の二つの端末デバイスが示されている。端末デバイス１と端末デバイス２のそれぞれの探索空間は端末デバイス専用探索空間と共有探索空間とを含む。図１においては、各行は１つのPDCCHを代表し、各行における各ブロックはPDCCHにおける１つのCCEを代表する。図１に示されたように、端末デバイス１の１行目では、８個のCCEで１つの制御チャンネルセットを構成するため、端末デバイス１の１行目はアグリゲーションレベル８に対応する。同様に、端末デバイス１の２行目では、４個のCCEで１つの制御チャンネルセットを構成するため、端末デバイス１の２行目はアグリゲーションレベル４に対応する。端末デバイス１の３行目では、２個のCCEで一つの制御チャンネルセットを構成するため、端末デバイス１の３行目はアグリゲーションレベル２に対応する。端末デバイス１の４行目では、１個のCCEで１つの制御チャンネルセットを構成するため、端末デバイス１の４行目はアグリゲーションレベル１に対応する。同様に、端末デバイス２の１行目から４行目はそれぞれアグリゲーションレベル８、４、２と１に対応する。
【００４５】
各下りリンク制御チャンネルは複数のフォーマットをサポートすることができる。更に、これらのフォーマットは端末デバイスに対して未知である。従って、端末デバイスは下りリンク制御チャンネルのフォーマットに対してブラインドテストを行う必要がある。CCE構成の説明についてブラインドテストの回数の低減に寄与するが、あるストラクチャーで端末デバイスに監視される必要のあるCCEセットの数を制限する必要がある。明らかに、スケジューリングの観点から考えると、CCEセットに対する制限はスケジューリングの柔軟性に影響があり、且つ発射側において付加の処理を行う必要がある。また、端末デバイスの複雑度の観点から考えると、大きいセルの周波数帯域幅の場合に、全ての可能なCCEセットを監視することが好ましくない。従って、端末空間は、スケジューラに対する制限が可能な限り少ないと共に、端末デバイスでのブラインドテストの最大回数を制限する必要がある。
【００４６】
システムに十分なCCEが存在した場合に、各端末デバイスの探索空間が異なり、システムにおける各端末デバイスはアグリゲーションレベルごとに一つの端末デバイス専用探索空間を有する。システム情報のスケジューリング、ページング情報の伝送、電力制御命令の伝送などの場合に、システムにおける一部又は全部の端末デバイスをアドレッシングする必要があるため、共有探索空間は全ての端末デバイスに共有され、制御情報セルにおける全ての端末デバイスは共有探索空間におけるCCEを監視する必要がある。図１に示されるように、端末デバイス１と端末デバイス２における端末デバイス専用探索空間は異なり、一部が重なる可能性があるが、端末デバイス専用探索空間はサブフレームに伴って変化するため、次のサブフレームにおいて重なる部分は再び重なることがない可能性が大きい。表１はDCIの監視状況を示した。ただし、共有探索空間はアグリゲーションレベルが４と８のCCE及び最小のDCIフォーマット(例えば0/1A/3/3Aと1C)のみに対して定義されたものである。
【００４７】
【表１】
2015536079.tif 000003
【００４８】
以下に図２を参照して本発明の実施例によるePDCCHを配置する基地局デバイスを説明する。図２に示されたように、図２は本発明の実施例によるePDCCHを配置する基地局デバイスを示したブロック図である。基地局デバイス２００はブランクリソースエレメント特定手段２０２と、ePDCCH位置指示情報特定手段２０４と、ロード手段２０６とを備える。
【００４９】
ブランクリソースエレメント特定手段２０２は、通信システムのシステム配置情報に基づいて物理リソースブロックペアPRB-pairにおける未使用のブランクリソースエレメントを特定する。
【００５０】
例えば、通信システムのシステム配置情報はPDCCHにロードされたOFDMシンボルの個数であっても良い。また、例えば、通信システムのシステム配置情報は共有参考信号のポート数であっても良い。具体的に、例えば、基地局デバイスは、物理制御フォーマット指示チャンネル(Physical Control Format Indication Channel,PCFICH)からPDCCHにロードされたOFDMシンボルの個数を取得することができる。また、例えば、基地局デバイスは、上位のシグナリングから共有参考信号のポート数を取得することができる。当業者は理解すべきなのは、通信システムのシステム配置情報は、前記のPDCCHにロードされたOFDMシンボルの個数又は共有参考信号のポート数に限定されなく、当分野に既知の他のシステム配置情報であっても良い。
【００５１】
取得された通信システムのシステム配置情報に基づいて、基地局デバイスは当該システム配置における各物理リソースブロックペアPRB-pairにおけるePDCCHに使用可能なリソースエレメントの個数を特定することができる。具体的に、例えば、取得されたPDCCHにロードされたOFDMシンボルの個数と共有参考信号のポート数に基づいて、基地局デバイスは以下の表２によりPDCCHにロードされたOFDMシンボルの個数と共有参考信号のポート数に対応する各物理リソースブロックペアPRB-pairにおけるePDCCHに使用可能なリソースエレメントの個数を特定することができる。
【００５２】
【表２】
2015536079.tif 000004
【００５３】
上記の表２において、各eCCE(enhanced Control Channel Element,強化制御チャンネルエレメント)に３６個のリソースエレメントが含まれ、且つ復調参考信号DMRSのポート数は４である。表２に示されたように、例えば、PDCCHにロードされたOFDMシンボルの個数が１で、かつ共有参考信号のポート数が４であれば、当該配置における各物理リソースブロックペアPRB-pairにおけるePDCCHに使用可能なリソースエレメントの個数は１１２である。また、例えば、PDCCHにロードされたOFDMシンボルの個数が３で、かつ共有参考信号のポート数が２であれば、当該配置における各物理リソースブロックペアPRB-pairにおけるePDCCHに使用可能なリソースエレメントの個数は９６である。また、例えば、PDCCHにロードされたOFDMシンボルの個数が３で、かつ共有参考信号のポート数が１であれば、当該配置における各物理リソースブロックペアPRB-pairにおけるePDCCHに使用可能なリソースエレメントの個数は１０２である。当業者であればわかるように、上記の表２は例示的なものであり、実際の状況によっては異なる値を具備することができる。例えば、復調参考信号DMRSのポート数が２の場合に、上記の表２における数値は相応的に変化する。また、当業者であればわかるように、上記の表２はシステム配置によっては相応的に変化する。
【００５４】
また、基地局デバイスは、取得された通信システムのシステム配置情報に基づいて、当該システム配置における各物理リソースペアPRB-pairにおけるブランクリソースエレメントの個数を特定することができる。物理リソースペアPRB-pairにおけるブランクリソースエレメントとは、物理リソースペアPRB-pairにおける他のシグナリング、データやパイロット周波数に占有されていないリソースエレメントである。具体的に、例えば、基地局デバイスは、取得されたPDCCHにロードされたOFDMシンボルの個数と共有参考信号のポート数に基づいて、以下の表３によりPDCCHにロードされたOFDMシンボルの個数と共有参考信号のポート数に対応する各物理リソースペアPRB-pairにおけるブランクリソースエレメントの個数を特定することができる。
【００５５】
【表３】
2015536079.tif 000005
【００５６】
上記の表３において、各eCCEに３６個のリソースエレメントが含まれ、かつ復調参考信号DMRSのポート数は４である。表３に示されるように、例えば、PDCCHにロードされたOFDMシンボルの個数が１で、かつ共有参考信号のポート数が４であれば、上記の表２により、当該配置における各物理リソースブロックペアPRB-pairにおけるePDCCHに使用可能なリソースエレメントの個数が１１２である。本例示における各eCCEに３６個のリソースエレメントが含まれるため、当該配置における物理リソースペア
PRB-pairに多くとも３個のeCCEがロードされることができ、残りのブランクリソースエレメントの個数は(112-36x3)=4である。また、例えば、PDCCHにロードされたOFDMシンボルの個数が３で、かつ共有参考信号のポート数が２であれば、上記の表２により、当該配置における各物理リソースブロックペア PRB-pairにおけるePDCCHに使用可能なリソースエレメントの個数は９６である。本例示における各eCCEに３６個のリソースエレメントが含まれるため、当該配置における物理リソースペアPRB-pairに多くとも２個のeCCEがロードされることができ、残りのブランクリソースエレメントの個数は(96-36x2)=24である。また、例えば、PDCCHにロードされたOFDMシンボルの個数が３で、かつ共有参考信号のポート数が１であれば、上記の表２により、当該配置における各物理リソースブロックペアPRB-pairにおけるePDCCHに使用可能なリソースエレメントの個数は１０２である。本例示における各eCCEに３６個のリソースエレメントが含まれるため、当該配置における物理リソースペアPRB-pairに多くとも２個のeCCEがロードされることができ、残りのブランクリソースエレメントの個数は(102-36x2)=30である。当業者であればわかるように、上記の表３は例示的なものであり、実際の状況によっては異なる値を具備することができる。例えば、3GPPの後続の基準において物理リソースブロックペアPRB-pairにロードされるeCCEの個数がある数値に固定され、または各eCCEに含まれるリソースエレメントの個数が３６以外の他の数値に固定されるかある基準に従って動的に変化する数値が採用される場合に、各種の配置における残りのブランクリソースエレメントの個数は相応的に変化することになる。また、説明すべきなのは、当業者は本発明の開示の旨の範囲内に上記の表３を適応的に変化させることができる。
【００５７】
ePDCCH位置指示情報特定手段２０４は、前記通信システムのシステム配置情報、端末デバイス識別子情報とチャンネル品質情報に基づいて、前記ePDCCHの端末デバイス探索空間における位置を指示するためのePDCCH位置指示情報を特定する。
【００５８】
上記のように、例えば、通信システムのシステム配置情報はPDCCHにロードされたOFDMシンボルの個数または共有参考信号のポート数であっても良い。本発明の一実施例において、各物理リソースブロックペアにおけるeCCEの個数は動的に設置することができる。例えば、基地局デバイスは取得された通信システムのシステム配置情報に基づいて当該システム配置における各物理リソースブロックペアPRB-pairにおけるeCCEの個数を特定することができる。具体的に，例えば、基地局デバイスは取得されたPDCCHにロードされたOFDMシンボルの個数と共有参考信号のポート数に基づいて、以下の表４により、PDCCHにロードされたOFDMシンボルの個数と共有参考信号のポート数に対応する各物理リソースブロックペアPRB-pairにおけるeCCEの個数を特定することができる。
【００５９】
【表４】
2015536079.tif 000006
【００６０】
上記の表４において、各eCCEに３６個のリソースエレメントが含まれ、かつ復調参考信号DMRSのポート数は４である。表４に示されるように、例えば、PDCCHにロードされたOFDMシンボルの個数が１で、かつ共有参考信号のポート数が４であれば、上記の表２により、当該配置における各物理リソースブロックペアPRB-pairにおけるePDCCHに使用可能なリソースエレメントの個数は１１２である。本例示における各eCCEに３６個のリソースエレメントが含まれるため、残りのブランクリソースエレメントの個数が可能な限り少なくなるように当該配置における物理リソースペアPRB-pairにロードできるeCCEの個数は多くとも３である。また、例えば、PDCCHにロードされたOFDMシンボルの個数が３で、かつ共有参考信号のポート数が２であれば、上記の表２により、当該配置における各物理リソースブロックペアPRB-pairにおけるePDCCHに使用可能なリソースエレメントの個数は９６である。本例示における各eCCEに３６個のリソースエレメントが含まれるため、残りのブランクリソースエレメントの個数が可能な限り少なくなるように当該配置における物理リソースペアPRB-pairにロードできるeCCEの個数は多くとも２である。また、例えば、PDCCHにロードされたOFDMシンボルの個数が３で且つ共有参考信号のポート数が１であれば、上記の表２により、当該配置における各物理リソースブロックペアPRB-pairにおけるePDCCHに使用可能なリソースエレメントの個数は１０２である。本例示における各eCCEに３６個のリソースエレメントが含まれるため、残りのブランクリソースエレメントの個数が可能な限り少なくなるように当該配置における物理リソースペアPRB-pairにロードできるeCCEの個数は多くとも２である。当業者であればわかるように、上記の表４は例示的なものであり、実際の状況によっては異なる値を具備することができる。また、説明すべきなのは、当業者は本発明の開示の旨の範囲内に上記の表4を適応的に変化させることができる。
【００６１】
本出願の発明者は、上記の例示における１つの物理リソースブロックペアPRB-pairにおけるeCCEの個数が変化するため、アグリゲーションレベルのセットも各サブフレームにおいて相応的に変化すべきであると考える。一般的に、端末デバイスＵＥが適当的なブラインドテストを行ってデコードすることに適するように、アグリゲーションレベルのセットにおける各アグリゲーションレベルは、物理リソースブロックペアPRB-pairに含まれる強化制御チャンネルエレメントeCCEの個数の整数倍であっても良い。基地局デバイスが取得された通信システムのシステム配置情報に基づいて当該システム配置における各物理リソースブロックペアPRB-pairにおけるeCCEの個数を特定した後に、基地局デバイスは特定された各物理リソースブロックペアPRB-pairにおけるeCCEの個数に基づいて対応のアグリゲーションレベルセットを得ることができる。具体的に、例えば、基地局デバイスは特定された各物理リソースブロックペアPRB-pairにおけるeCCEの個数に基づいて以下の表5により対応のアグリゲーションレベルセットを得ることができる。
【００６２】
【表５】
2015536079.tif 000007
【００６３】
上記の表５において、各eCCEに３６個のリソースエレメントが含まれ、且つ復調参考信号DMRSのポート数は４である。上記の例示に続いて、表５に示されるように、端末デバイスＵＥが適当的なブラインドテストを行ってデコードすることに適するように、各種のeCCE個数/物理リソースブロックペアの対応アグリゲーションレベルセットに含まれるアグリゲーションレベルはいずれも物理リソースブロックペアPRB-pairに含まれる当該eCCEの個数の整数倍である。例えば、特定された各物理リソースブロックペアPRB-pairにおけるeCCEの個数が３（例えばPDCCHにロードされたOFDMシンボルの個数が１で、かつ共有参考信号のポート数が４の場合に対応するシステム配置）であれば、当該配置における対応のアグリゲーションレベルセットは{1、3、6、9}である。また、例えば、特定された各物理リソースブロックペアPRB-pairにおけるeCCEの個数が２（例えばPDCCHにロードされたOFDMシンボルの個数が３で、かつ共有参考信号のポート数が２の場合に対応するシステム配置）であれば、当該配置における対応のアグリゲーションレベルセットは{1、2、4、8}である。また、例えば、各物理リソースブロックペアPRB-pairにおけるeCCEの個数が４であれば、当該配置における対応のアグリゲーションレベルセットは{1、4、8、12}である。当業者であればわかるように、上記の表５は例示的なものであり、実際の状況によっては異なる値を具備することができる。また、説明すべきなのは、当業者は本発明の開示の旨の範囲内に上記の表5を適応的に変化させることができる。
【００６４】
本発明の一つの好適な実施例によれば、例えば、ePDCCH位置指示情報は、端末デバイス探索空間のアグリゲーションレベルを含み、終端デバイス探索空間のアグリゲーションレベルと端末デバイス識別子情報に基づいてePDCCHの前記端末デバイス探索空間におけるスタート位置を特定する。
【００６５】
上記のように、基地局デバイスは通信システムのシステム配置情報に基づいて対応のアグリゲーションレベルセットを得ることができる。対応のアグリゲーションレベルセットが得られた後に、基地局デバイスは所定の条件に基づいて対応のアグリゲーションレベルセットから端末デバイス探索空間のアグリゲーションレベルを特定することができる。具体的に、例えば、基地局デバイスは端末デバイスに測定されて基地局デバイスにフィードバックされたチャンネル品質情報に基づいて対応のアグリゲーションレベルセットから端末デバイス探索空間のアグリゲーションレベルを特定することができる。チャンネル品質が悪いほど、特定されたアグリゲーションレベルが相応的に高くなる。チャンネル品質が良いほど、特定されたアグリゲーションレベルが相応的に低くなる。また、例えば、基地局デバイスは制御シグナリングの種類に基づいて対応のアグリゲーションレベルセットから端末デバイス探索空間のアグリゲーションレベルを特定することができる。制御シグナリングの重要性が高くなるほど、特定されたアグリゲーションレベルが相応的に高くなる。制御シグナリングの重要性が低くなるほど、特定されたアグリゲーションレベルが相応的に低くなる。当業者であればわかるように、基地局デバイスは、端末デバイスにより測定されて基地局デバイスにフィードバックされたチャンネル品質情報と制御シグナリングの種類の組合せに基づいて対応のアグリゲーションレベルセットから端末デバイス探索空間のアグリゲーションレベルを特定しても良い。また、当業者であればわかるように、上記のチャンネル情報と制御シグナリングの種類は例示的なものであり、基地局デバイスはその他の条件に基づいて対応のアグリゲーションレベルセットから端末デバイス探索空間のアグリゲーションレベルを特定することができる。
【００６６】
上記の例示に続いて、例えば、PDCCHにロードされたOFDMシンボル個数が１で、かつ共有参考信号のポート数が４のシステム配置で特定された対応のアグリゲーションレベルセットが{1、3、6、9}であれば、基地局デバイスは端末デバイスにより測定されて基地局デバイスにフィードバックされたチャンネル品質情報及び／又は制御シグナリングの種類に基づいて対応のアグリゲーションレベルセット{1、3、6、9}から端末デバイス探索空間のアグリゲーションレベルが３であることを特定することができる。また、例えば、PDCCHにロードされたOFDMシンボルの個数が３で、かつ共有参考信号のポート数が２のシステム配置で特定された対応のアグリゲーションレベルセットが{1、2、4、8}であれば、基地局デバイスは端末デバイスにより測定されて基地局デバイスにフィードバックされたチャンネル品質情報及び／又は制御シグナリングの種類に基づいて対応のアグリゲーションレベルセット{1、2、4、8}から端末デバイス探索空間のアグリゲーションレベルが４であることを特定することができる。
【００６７】
本発明の別の実施例において、各配置における対応のアグリゲーションレベルセットが固定であり、例えば{1、2、4、8}である。当業者であればわかるように、基地局デバイスは特に通信システムのシステム配置情報に基づいて対応のアグリゲーションレベルセットを得る必要がなく、基地局デバイスは所定のアグリゲーションレベルセットに基づいて、上記の形式で所定のアグリゲーションレベルセットから端末デバイス探索空間のアグリゲーションレベルを直接的に特定することができる。
【００６８】
端末デバイス探索空間のアグリゲーションレベルが特定された後に、基地局デバイスは、端末デバイス探索空間のアグリゲーションレベルと端末デバイス識別子情報に基づいてePDCCHの前記端末デバイス探索空間におけるスタート位置を特定することができる。端末デバイス識別子情報は、例えば端末デバイスのネットワーク仮コードRNTIであっても良い。当業者であればわかるように、上記の端末デバイスのネットワーク仮コードRNTIは例示的なものであり、端末デバイスの他の情報を採用して端末デバイス識別子情報としても良い。また、探索空間スタート位置の計算方法に関し、PDCCHにおけるプロトコルTS36.213の第9.1.1節における探索空間スタート位置の計算の公式及び内容を参照することができ、その詳しい内容を省略する。
【００６９】
本発明の別の好適な実施例によれば、例えば、ePDCCH位置指示情報はePDCCHの端末デバイス探索空間におけるオフセット量を更に含む。
【００７０】
具体的に、基地局デバイスは、端末デバイス探索空間においてリソース利用状況を利用して適当な位置にePDCCHを配置することができ,これによりePDCCHの端末デバイス探索空間におけるオフセット量を特定することができる。例えば、図３に示されたように、ePDCCHの端末デバイス探索空間におけるオフセット量は２である。
【００７１】
ロード手段２０６は、前記ePDCCH位置指示情報のロードされた付加のシグナリングを含むサブフレームを得るように前記ePDCCH位置指示情報を前記ブランクリソースエレメントにロードし、前記サブフレームを端末デバイスに送信する。
【００７２】
上記のように、ePDCCH位置指示情報は端末デバイス探索空間のアグリゲーションレベルとePDCCHの端末デバイス探索空間におけるオフセット量を含んでも良い。従って、前記ePDCCH位置指示情報のロードされた付加シグナリングを含むサブフレームを得るように前記ePDCCH位置指示情報を前記ブランクリソースエレメントにロードすることは、具体的に、アグリゲーションレベル及び／又は偏移量がロードされた付加シグナリングを含むサブフレームを得るように、端末デバイス探索空間のアグリゲーションレベル、及び／又はePDCCHの端末デバイス探索空間における偏移量を前記ブランクリソースエレメントにロードすることを含んでも良い。
【００７３】
図３に示されるように、ePDCCH-UE_lの位置指示情報はPRB-pair-Bにマッピングされた。例えば、PRB-pair-Bにおける付加のシグナリング（黒いポイントで示す）はPRB-pair-AにおけるePDCCH-UE_lのアグリゲーションレベル（例えば図３におけるアグリゲーションレベルは３である）を指示することができる。また、PRB-pair-Bにおける付加のシグナリングはePDCCH-Uelの探索空間におけるオフセット量（例えば図３におけるオフセット量は２である）を指示しても良い。
【００７４】
ePDCCH位置指示情報のロードされた付加のシグナリングを含むサブフレームを得るようにePDCCH位置指示情報をブランクリソースエレメントにロードするために、ePDCCH位置指示情報に対して適当なエンコードを行うことができる。例えば、２ビットエンコード方式を採用してePDCCH位置指示情報に対してエンコードを行うことができる。当業者であればわかるように、２ビットエンコード方式は例示的なものであり、その他の適当なエンコード方式を採用してePDCCH位置指示情報に対してエンコードすることができる。また、１つのPRB-pairにおけるブランクリソースエレメントの個数はシステム配置によっては異なり、即ち付加の指令に使用可能なブランクリソースエレメントの個数も変化するため、付加のシグナリングのサイズ（即ちエンコード方式）はブランクリソースエレメントの個数によっては相応的に変化する。
【００７５】
具体的に、例えば以下の表６を採用してePDCCH位置指示情報に含まれたアグリゲーションレベルに対して２ビットエンコードを行うことができる。
【００７６】
【表６】
2015536079.tif 000008
【００７７】
上記の表６において、各eCCEに３６個のリソースエレメントが含まれ、かつ復調参考信号DMRSのポート数は４である。表６に示されるように、例えば、アグリゲーションレベルがアグリゲーションレベルセット{1、3、6、9}のうちの３であれば、その対応のアグリゲーションレベルコードは01である。当業者であればわかるように、上記の表６は例示的なものであり、実際の状況によっては異なる値を具備することができる。また、当業者であればわかるように、上記の表6は既知の知識に基づいて予め特定することができる。
【００７８】
また、例えば以下の表７を採用してePDCCH位置指示情報に含まれるePDCCHの端末デバイス探索空間におけるオフセット量に対して２ビットエンコードすることができる。
【００７９】
【表７】
2015536079.tif 000009
【００８０】
上記の表７において、各eCCEに３６個のリソースエレメントが含まれ、かつ復調参考信号DMRSのポート数は４である。表７に示されるように、例えば、ePDCCHの端末デバイス探索空間におけるオフセット量が２であれば、その対応のオフセット量コードは１０である。当業者であればわかるように、上記の表７は例示的なものであり、実際の状況によっては異なる値を具備することができる。また、当業者であればわかるように、上記の表７は既知の知識に基づいて予め特定することができる。
【００８１】
本発明の好適な実施例によれば、ブランクリソースエレメントの数に基づいて付加のシグナリングに対して長さの異なるビットコードを採用することができる。
【００８２】
具体的に、付加のシグナリングにロードされたePDCCH位置指示情報により良い安定性を具備させるために、ブランクリソースエレメントの数に基づいて付加のシグナリングに対して長さの異なるビットエンコードを行うことができる。これにより、ePDCCH位置指示情報に対してエンコードして得られたビットはより多いビットに拡張される。例えば、ePDCCH位置指示情報に含まれたアグリゲーションレベルに対してエンコードを行って得られたビットは２ビットであり、かつePDCCH位置指示情報に含まれたオフセット量に対してエンコードして得られたビットは２ビット、即ちePDCCH位置指示情報に対してエンコードして得られたビットが４ビットであれば、以下の表８又は表９により付加のシグナリングに対して１６ビット、２４ビット、３２ビット又は他のビットの数のビットエンコードを採用することができる。これにより、ePDCCH位置指示情報に対してエンコードして得られた４ビットをより多いビットに拡張される。この方式によれば、データのチャンネルにおける伝送のロバスト性を向上させることができる。一般的に、拡張されたビット数が多いほど、ロバスト性が良くなるが、リソース占用率も大きくなる。本発明における各物理リソースブロックペアにおける残りのブランクリソースエレメントの個数が変化することを考慮したため、本発明においてエンコードビット数可変の拡張方式を採用した。具体的に、表８は集中的なマッピング方式を採用してePDCCH位置指示情報をPRB-pairにおけるブランクリソースエレメントに拡張してマッピングすることを説明する表であり、表９は分布的なマッピング方式を採用してePDCCH位置指示情報をPRB-pairにおけるブランクリソースエレメントに拡張してマッピングすることを説明する表である。後で集中的なマッピング方式と分布的なマッピング方式を詳しく説明する。
【００８３】
【表８】
2015536079.tif 000010
【００８４】
上記の表８において、各eCCEに３６個のリソースエレメントが含まれ、かつ復調参考信号DMRSのポート数は４である。当業者であればわかるように、上記の表８は例示的なものであり、実際の状況によっては異なる値を具備することができる。また、当業者であればわかるように、上記の表８は既知の知識に基づいて予め特定することができる。
【００８５】
【表９】
2015536079.tif 000011
【００８６】
上記の表９において、各eCCEに３６個のリソースエレメントが含まれ、かつ復調参考信号DMRSのポート数は４である。当業者であればわかるように、上記の表９は例示的なものであり、実際の状況によっては異なる値を具備することができる。また、当業者であればわかるように、上記の表9は既知の知識に基づいて予め特定することができる。
【００８７】
本発明の好適な実施例によれば、前記ブランクリソースエレメントの数に基づいて、集中的なマッピング方式を採用して付加のシグナリングを集中的に一つ又は複数の連続的なリソースブロックペアPRB-pairに配置し、または分布的なマッピング方式を採用して付加のシグナリングを分布的に複数のリソースブロックペアPRB-pairに配置することができる。
【００８８】
以下に図４Ａと表８を参照してePDCCH位置指示情報のロードされた付加のシグナリングの集中的なマッピング方式の模式図を説明する。図４ＡはePDCCH位置指示情報がロードされた付加のシグナリングの集中的なマッピング方式の模式図である。表８は集中的なマッピング方式を採用してePDCCH位置指示情報をPRB-pairにおけるブランクリソースエレメントに拡張してマッピングする説明表である。
【００８９】
PRB-pairにおけるブランクリソースエレメントの個数が付加のシグナリングに必要なリソースエレメントの個数よりも大きい場合に、集中的なマッピング方式を採用して付加のシグナリングを集中的に１つのPRB-pairに配置することができる。表８に示されるように、例えば、PRB-pairにおけるブランクリソースエレメントの個数が１８で付加のシグナリングに必要なリソースエレメントの個数が１６であるため、図４Ａに示されたように、集中的なマッピング方式を採用してePDCCH-UE_8位置指示情報がロードされた付加のシグナリングを１つのPRB-pair-Aに配置することができる。注意すべきなのは、ここでの集中的なマッピング方式は絶対的な概念ではなく、可能な限り付加のシグナリングを集中的に１つ又は複数の連続的な物理リソースブロックペアに配置するためのマッピング方式であれば、集中的なマッピング方式と呼ばれることができる。例えば、必要に応じて、できるだけePDCCH位置指示情報をより多くのビット数に拡張してロバスト性を向上させることができる。表８において、ブランクリソースエレメント数が４の配置における拡張ビット数を１６ビットに設定しても良い。これにより、１つの物理リソースブロックペアのブランクＲＥは８ビットしかロードできないため、少なくとも２つの物理リソースブロックペアで拡張後のePDCCH位置指示情報をロードする必要がある。この場合に、当該付加のシグナリングを連続の２つのリソースブロックペアPRB-pairに配置することができる。このようなマッピング方式は、ダイバーシチゲインを得るための分布的なマッピング方式に対する集中的なマッピング方式である。
【００９０】
分布的なマッピング方式は、PRB-pairにおけるブランクリソースエレメントの個数が付加のシグナリングに必要なリソースエレメントの個数よりも大きい場合でも、周波数ダイバーシチゲインを得るように当該付加のシグナリングをスプリットし、且つ分布的に異なるPRB-pairに配置するようなマッピング方式である。表９に示されるように、例えば、PRB-pairにおけるブランクリソースエレメントの個数が１８で、付加のシグナリングに必要なリソースエレメントの個数が１６であるため、図４Ｂに示されるように、端末デバイス１の付加のシグナリングを４つの部分にスプリットし、スプリットされた４つの部分をそれぞれPRB-pair-A、PRB-pair-B、PRB-pair-CとPRB-pair-Dの４つのPRB-pairに配置しても良い。同様に、端末デバイス２から端末デバイス４の付加のシグナリングをそれぞれ４つの部分にスプリットし、スプリットされた４つの部分をそれぞれPRB-pair-A、PRB-pair-B、PRB-pair-CとPRB-pair-Dの四つのPRB-pairに配置しても良い。従って、１つのPRB-pairに端末デバイス１から端末デバイス４の付加のシグナリングにおける一部がロードされる。表９において、１つのシグナリング空間に多くとも４つの端末デバイスのePDCCH位置指示情報付加シグナリングのロードが許容されることが限定されたため、端末デバイスは多くとも４回の検出が必要である。分布的なマッピングは、複雑度が増加したが、周波数ダイバーシチゲインが得られた。
【００９１】
本発明の好適な実施例によれば、端末デバイス識別子情報に基づいて、１つの端末デバイスが１つのリソースブロックペアPRB-pairに対応するマッピング方式、１つの端末デバイスが複数のリソースブロックペアPRB-pairに対応するマッピング方式、複数の端末デバイスが一つのリソースブロックペアPRB-pairに対応するマッピング方式、及び複数の端末デバイスが複数のリソースブロックペアPRB-pairに対応するマッピング方式のうちのいずれか１つに従って、端末デバイスとリソースブロックペアPRB-pairに対してマッピングを行う。
【００９２】
以下に図５を参照して端末デバイスとリソースブロックペアPRB-pairに対してマッピングを行うマッピング方式を説明する。図５は端末デバイスとリソースブロックペアPRB-pairに対してマッピングを行うマッピング方式を示す模式図である。
【００９３】
本発明において、端末デバイスとそのePDCCH位置指示情報付加シグナリングの配置PRB-pairとの直接的なマッピング関係は端末デバイス識別子情報のみに関わる。しかし、以下の４つの状況が許容される。即ち、１）図５（ａ）に示されるように、一つの端末デバイスが一つのPRB-pairに対応し、２）図５（ｂ）に示されるように、一つの端末デバイスが複数のPRB-pairに対応し、３）図５（ｃ）に示されるように、複数の端末デバイスが一つのPRB-pairに対応し、及び、４）図５（ｄ）に示されるように、複数のＵＥが複数のPRB-pairに対応する。
【００９４】
表８、表９と図４Ｂに示されるように、１つのマッピングにより得られたPRB-pair空間に複数の端末デバイスが含まれれば、現在の端末デバイスはePDCCH位置指示シグナリング空間において複数のブラインドテストを行って最終の結果を得る必要がある。
【００９５】
端末デバイスからPRB-pairまでの具体的なマッピング規則について、必要に応じて柔軟に設定することができる。例えば、端末デバイス識別子情報をＵＥ１、ＵＥ２、ＵＥ３……とし、ePDCCHシグナリング空間におけるPRB-pairの番号をPRB1、PRB2、PRB3とする場合に、端末デバイス識別子情報とPRB-pairの番号値との間のマッピング関係は、表１０、表１１又は表１２に示される通りである。
【００９６】
【表１０】
2015536079.tif 000012
【００９７】
【表１１】
2015536079.tif 000013
【００９８】
【表１２】
2015536079.tif 000014
【００９９】
当業者であればわかるように、上記の表１０から表１２は例示的なものであり、実際の状況によっては異なる値を具備することができる。また、当業者であればわかるように、上記の表１０から表１２は既知の知識に基づいて予め特定することができる。
【０１００】
１つのPRB−pairにおいて、付加シグナリングに占用されたブランクリソースエレメントの位置とeCCEの位置は、簡単で操作が容易であることを基本原則とし、且つ基地局デバイスと端末デバイスは一致であることが必要である。例えば、図６に示されるように、１つのPRB-pairにおけるブランクリソースエレメントを集中的に当該PRB-pairの一番前に配置することができる。また、図６に示されるように、PRB-pairにおいて、先は周波数域（図６の水平軸に示されるように）、後は時間域（図６の垂直軸に示されるように）の順序に従って付加のシグナリングを配置することができる。
【０１０１】
本発明の好適な実施例によれば、同一のリソースブロックペアPRB-pairにおいて複数の端末デバイスがマッピングされた時に、同一のリソースブロックペアPRB-pairにおいて異なる端末デバイスのePDCCH位置指示情報を区別するように端末デバイス識別子情報を採用してスクランブリングする。
【０１０２】
同一のシグナリング空間において複数の端末デバイスのePDCCH位置指示情報付加シグナリングが存在すれば、異なる端末デバイスの付加シグナリングの間に端末デバイス識別子情報を使用することによりスクランブリングして区分する。この場合に、端末デバイスは複数の検出を行って自身のePDCCH位置指示情報付加シグナリングを得る必要がある。上記表９に示されたように、１つのシグナリング空間において多くとも４つのＵＥのePDCCH位置指示情報付加シグナリングのロードが許容されることが限定されたため、端末デバイスは多くとも４回の検出で自身のePDCCH位置指示情報付加シグナリングを得る必要がある。
【０１０３】
以下に図７を参照してePDCCH位置指示情報のロードされた付加シグナリングのエンコード及びマッピングプロセスを説明する。図７はePDCCH位置指示情報のロードされた付加シグナリングのエンコード及びマッピングプロセスを示す模式図である。
【０１０４】
上記のように、基地局デバイスは表８又は表９に基づいて現在システム配置における端末デバイスのePDCCH位置指示情報のロード及びマッピング方式を特定することができる。そして、図７に示されたように、基地局デバイスは端末デバイス識別子情報に基づいて現在システム配置で当該端末デバイスのePDCCH位置指示情報がロードされたPRB-pair位置を計算し、ビットをQPSK変調した後に対応のPRB-pairに順次に配置することができる。
【０１０５】
本実施例によれば、ePDCCHにおけるブランクリソースエレメントの活用により、ブランクリソースエレメントに新たなシグナリングを増加し、端末デバイス側に行われたブラインドテストの回数を低減でき、端末デバイス側の計算複雑度を低減することができる。
【０１０６】
以下に図８を参照して本発明の実施例によるePDCCHの配置方法を説明する。図８は本発明の実施例によるePDCCHの配置方法を示すフローチャートである。
【０１０７】
当該方法はステップ８００からスタートする。ステップ８０２において、通信システムのシステム配置情報に基づいて、物理リソースブロックペアPRB-pairにおける未使用のブランクリソースエレメントを特定する。そして、ステップ８０４において、前記通信システムのシステム配置情報、端末デバイス識別子情報、チャンネル品質情報のうちの少なくとも一つに基づいて、前記ePDCCHの端末デバイス探索空間における位置を指示するためのePDCCH位置指示情報を特定する。そして、ステップ８０６において、前記ePDCCH位置指示情報のロードされた付加シグナリングを含むサブフレームが得られように、前記ePDCCH位置指示情報を前記ブランクリソースエレメントにロードし、前記サブフレームを端末デバイスに送信する。最後に、当該方法はステップ８０８で終了する。
【０１０８】
本発明の実施例によるePDCCHの配置方法は本発明の実施例によるePDCCHを配置する基地局デバイス２００に対応する方法であるため、詳しい説明は省略する。
【０１０９】
以下に図９を参照して本発明の実施例によるePDCCHを検出する端末デバイスを説明する。図９は本発明の実施例によるePDCCHを検出する端末デバイスを示すブロック図である。図９に示されたように、ePDCCHを検出する端末デバイス９００は復調手段９０２と、検出手段９０４と、を備える。復調手段９０２は、基地局デバイスからePDCCH位置指示情報のロードされた付加シグナリングを含むサブフレームを受信し、前記サブフレームから復調により前記ePDCCH位置指示情報を取得する。なお、前記ePDCCH位置指示情報は前記ePDCCHの端末デバイス探索空間における位置を指示するものであり、前記ePDCCH位置指示情報のロードされた付加シグナリングは前記ePDCCH位置指示情報を物理リソースブロックペアPRB-pairにおける未使用のブランクリソースエレメントにロードして得られたものである。
【０１１０】
端末デバイスは基地局デバイスからデータを受信する。端末デバイスはPCFICH（物理制御フォーマット指示チャンネル）を復調することによりPDCCHに占用されたOFDMシンボル個数を特定する。また、端末デバイスは上位のシグナリングからシステム共有参考信号のポート数及び復調参考信号DMRSのポート数を取得し、またはDMRSポート数が既知の場合に端末デバイスはシステム共有参考信号のポート数のみを取得する。
【０１１１】
端末デバイスは、上記表３により現在システム配置における１つのPRB-pairにおけるブランクリソースエレメントの個数を特定する。また、端末デバイスは、上記の表５により端末デバイス自身に対応するアグリゲーションレベルセットを取得する。また、端末デバイスは、上記の表８又は表９により、現在システム配置におけるePDCCH位置指示情報のマッピング方式を特定する。
【０１１２】
本発明の好適な実施例によれば、端末デバイス識別子情報に基づいてePDCCH位置指示情報の配置されたリソースブロックペアPRB-paireを特定することができる。具体的に、例えば、端末デバイスは上記表１０、表１１又は表１２により、端末デバイス識別子情報及び現在のePDCCH位置指示情報マッピング方式に基づいて、現在システム配置におけるロード端末デバイスのePDCCH位置指示情報のPRB-pair位置を得ることができる。
【０１１３】
端末デバイスは、相応のPRB-pairにおいて所定の順序、例えば図６に示された先は周波数域で後は時間域の順序に従って、付加のシグナリングの位置において端末デバイスのePDCCH位置指示情報に対して復調を行う。
【０１１４】
本発明の好適な実施例によれば、ePDCCH位置指示情報は端末デバイス探索空間のアグリゲーションレベルを含むことができる。本発明の好適な実施例によれば、ePDCCH位置指示情報は、更にePDCCHの端末デバイス探索空間におけるオフセット量を含んでも良い。端末デバイスのePDCCH位置指示情報に対して復調した後に、上記表６と表７により端末デバイスのアグリゲーションレベル及びePDCCHの端末デバイス探索空間におけるオフセット量を得ることができる。
【０１１５】
本発明の好適な実施例によれば、端末デバイス探索空間のアグリゲーションレベルと端末デバイス識別子情報に基づいてePDCCHの端末デバイス探索空間におけるスタート位置を特定することができる。探索空間スタート位置の計算方法について、PDCCHにおけるプロトコルTS36.213の第9.1.1節における探索空間スタート位置の計算公式及び内容を参照することができ、その具体的な説明は省略する。ePDCCH探索空間スタート位置が特定された後に、ePDCCHの端末デバイス探索空間におけるオフセット量に基づいてePDCCHの端末デバイス探索空間における位置を得ることができる。ePDCCHの端末デバイス探索空間における位置が得られた後に、ePDCCHの端末デバイス探索空間における位置に基づいてePDCCH位置指示情報のロードされた付加シグナリングを復調することにより、ePDCCH位置指示情報を得ることができる。当業者であればわかるように、上記のオフセット量は必須ではなく、即ちePDCCH探索空間スタート位置のみに基づいてスタート位置の後の可能な位置に対してブラインドテストを行うことにより、ePDCCH位置指示情報のロードされた付加シグナリングに対して復調を行うことができる。
【０１１６】
本発明の好適な実施例によれば、同一のリソースブロックペアPRB-pairに複数の端末デバイスのePDCCH位置指示情報が存在する時に、同一のリソースブロックペアPRB-pairにおいて異なる端末デバイスのePDCCH位置指示情報を区別するように、端末デバイス識別子情報を採用してデスクランブリングを行ってCRCチェックを行う。
【０１１７】
検出手段９０４は、復調により得られたePDCCH位置指示情報に基づいて前記端末デバイス探索空間において前記ePDCCHを検出する。
【０１１８】
本実施例によれば、端末デバイスはePDCCHにおけるブランクリソースエレメントにおいて増加した新たなシグナリングから復調によりePDCCH位置指示情報を取得し、復調により得られたePDCCH位置指示情報に基づいて端末デバイス探索空間においてePDCCHを検出することができるため,端末デバイス側に行われたブラインドテストの回数を低減して端末デバイス側の計算複雑度を低減することができる。
【０１１９】
以下に図１０を参照して本発明の実施例によるePDCCHの検出方法を説明する。図１０は本発明の実施例によるePDCCHの検出方法を示したフローチャートである。
【０１２０】
当該方法はステップ１０００からスタートする。ステップ１００２において、基地局デバイスからePDCCH位置指示情報のロードされた付加シグナリングを含むサブフレームを受信し、サブフレームから復調によりePDCCH位置指示情報を取得する。なお、ePDCCH位置指示情報はePDCCHの端末デバイス探索空間における位置を指示するものであり、前記ePDCCH位置指示情報がロードされた付加シグナリングは前記ePDCCH位置指示情報を物理リソースブロックペアPRB-pairにおける未使用のブランクリソースエレメントにロードして得られたものである。そして、ステップ１００４において、復調により得られたePDCCH位置指示情報に基づいて、端末デバイス探索空間においてePDCCHを検出する。当該方法はステップ１００６で終了する。
【０１２１】
本発明の実施例によるePDCCHの検出方法は、本発明の実施例によるePDCCHを検出する端末デバイスに対応の方法であるため、その詳しい説明は省略する。
【０１２２】
以下に図１１を参照して本発明の実施例による通信システムを説明する。図１１は本発明の実施例による通信システムを示したブロック図である。
【０１２３】
図１１に示されたように、通信システム１１００は、互いに無線通信を行う基地局デバイス２００と端末デバイス９００とを備える。基地局デバイス２００は、通信システムのシステム配置情報に基づいて物理リソースブロックペアPRB-pairにおける未使用のブランクリソースエレメントを特定するブランクリソースエレメント特定手段２０２と、前記通信システムのシステム配置情報、端末デバイス識別子情報、チャンネル品質情報に基づいて、前記ePDCCHの端末デバイス探索空間における位置を指示するためのePDCCH位置指示情報を特定するePDCCH位置指示情報特定手段２０４と、前記ePDCCH位置指示情報のロードされた付加シグナリングを含むサブフレームを得るように前記ePDCCH位置指示情報を前記ブランクリソースエレメントにロードし、前記サブフレームを端末デバイスに送信するロード手段２０６と、を備える。端末デバイス９００は、基地局デバイスから前記ePDCCHの端末デバイス探索空間における位置を指示するためのePDCCH位置指示情報がロードされた付加のシグナリングであって、前記ePDCCH位置指示情報を物理リソースブロックペアPRB-pairにおける未使用のブランクリソースエレメントにロードして得られた付加のシグナリングを含むサブフレームを受信し、前記サブフレームから復調により前記ePDCCH位置指示情報を得るための復調手段９０２と、復調により得られたePDCCH位置指示情報に基づいて前記端末デバイス探索空間において前記ePDCCHを検出するための検出手段９０４と、を備える。
【０１２４】
当業者であれば、本発明の範囲内に複数の補正及び変形を行うことができる。実施例の選択と説明は、最適に本発明の原理及び実際の運用を解釈するためのものであり、当業者に本発明は所望の特定用途に適する、各種の変形を有する各種の実施形態を具備することを理解させる。
【図１】
2015536079.tif 000015
【図２】
2015536079.tif 000016
【図３】
2015536079.tif 000017
【図４Ａ】
2015536079.tif 000018
【図４Ｂ】
2015536079.tif 000019
【図５】
2015536079.tif 000020
【図６】
2015536079.tif 000021
【図７】
2015536079.tif 000022
【図８】
2015536079.tif 000023
【図９】
2015536079.tif 000024
【図１０】
2015536079.tif 000025
【図１１】
2015536079.tif 000026
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
強化物理下りリンク制御チャンネルePDCCHを配置する基地局デバイスであって、
復調参照信号の配置に基づいて前記ePDCCHの端末デバイス探索空間における位置を指示するためのePDCCH位置指示情報を特定し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれ、
前記端末デバイスに対して前記ePDCCH位置指示情報を含むシグナリングを生成するように配置される回路を備える基地局デバイス。
【請求項２】
前記ePDCCH位置指示情報は、前記ePDCCHの前記端末デバイス探索空間における、前記端末デバイス探索空間のアグリゲーションレベルに基づいて特定されたスタート位置を含む請求項１に記載の基地局デバイス。
【請求項３】
前記アグリゲーションレベルは、物理リソースペアPRB-pairに含まれた強化制御チャンネルエレメントeCCEの個数の整数倍である請求項２に記載の基地局デバイス。
【請求項４】
前記ePDCCH位置指示情報は、更に前記ePDCCHの前記端末デバイス探索空間におけるオフセット量を含む請求項２に記載の基地局デバイス。
【請求項５】
前記回路は、更に、物理リソースブロックペアPRB-pairにおける未使用のブランクリソースエレメントを特定し、前記ePDCCH位置指示情報がロードされたシグナリングを含むサブフレームが得られるように前記ePDCCH位置指示情報を前記ブランクリソースエレメントにロードするように配置される、請求項１に記載の基地局デバイス。
【請求項６】
前記回路は、前記ブランクリソースエレメントの数に基づいて、集中的なマッピング形式で前記シグナリングを集中的に１つ又は複数の連続的なリソースブロックペアPRB-pairに配置し、または、分布的なマッピング形式で前記シグナリングを分布的に複数のリソースブロックペアPRB-pairに配置する請求項５に記載の基地局デバイス。
【請求項７】
前記回路は、前記ブランクリソースエレメントの数に基づいて、前記シグナリングに対して長さの異なるビットを採用してエンコードする請求項５に記載の基地局デバイス。
【請求項８】
前記回路は、端末デバイス識別子情報に基づいて、１つの端末デバイスが１つのリソースブロックペアPRB-pairに対応するマッピング形式、１つの端末デバイスが複数のリソースブロックペアPRB-pairに対応するマッピング形式、複数の端末デバイスが１つのリソースブロックペアPRB-pairに対応するマッピング形式、及び複数の端末デバイスが複数のリソースブロックペアPRB-pairに対応するマッピング形式のうちのいずれか１つに従って、前記端末デバイスと前記リソースブロックペアPRB-pairに対してマッピングを行う請求項５に記載の基地局デバイス。
【請求項９】
前記回路は、更に、物理下りリンク制御チャンネルPDCCHにロードされたOFDMシンボルの個数と共有参考信号のポート数とを含む通信システムのシステム配置情報に基づいて前記ePDCCH位置指示情報を特定するように配置される請求項１に記載の基地局デバイス。
【請求項１０】
強化物理下りリンク制御チャンネルePDCCHを配置する方法であって、
復調参照信号の配置に基づいて前記ePDCCHの端末デバイス探索空間における位置を指示するためのePDCCH位置指示情報を特定し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれ、
前記端末デバイスに対して前記ePDCCH位置指示情報を含むシグナリングを生成することを含む方法。
【請求項１１】
強化物理下りリンク制御チャンネルePDCCHを検出する端末デバイスであって、
基地局デバイスから前記ePDCCHの端末デバイス探索空間における位置を指示するePDCCH位置指示情報を含むシグナリングを特定し、
前記基地局デバイスが復調参照信号の配置に基づいて特定した前記ePDCCH位置指示情報に基づいて前記端末デバイス探索空間におけるePDCCHを検出し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれるように配置される回路を備える端末デバイス。
【請求項１２】
前記ePDCCH位置指示情報は、前記ePDCCHの前記端末デバイス探索空間における、前記端末デバイス探索空間のアグリゲーションレベルに基づいて特定されたスタート位置を含む請求項１１に記載の端末デバイス。
【請求項１３】
前記アグリゲーションレベルは、物理リソースペアPRB-pairに含まれた強化制御チャンネルエレメントeCCEの個数の整数倍である請求項１２に記載の端末デバイス。
【請求項１４】
前記ePDCCH位置指示情報は、更に前記ePDCCHの前記端末デバイス探索空間におけるオフセット量を含む請求項１２に記載の端末デバイス。
【請求項１５】
前記回路は、端末デバイス識別子情報に基づいて、前記ePDCCH位置指示情報が配置されたリソースブロックペアPRB-pairを特定する請求項１１に記載の端末デバイス。
【請求項１６】
同一のリソースブロックペアPRB-pairにおいて複数の端末デバイスのePDCCH位置指示情報が存在した場合に、前記同一のリソースブロックペアPRB-pairにおいて異なる端末デバイスのePDCCH位置指示情報を区別するように前記端末デバイス識別子情報を採用してデスクランブリングをしてCRCチェックを行う請求項１５に記載の端末デバイス。
【請求項１７】
強化物理下りリンク制御チャンネルePDCCHを検出する方法であって、
基地局デバイスから前記ePDCCHの端末デバイス探索空間における位置を指示するePDCCH位置指示情報を含むシグナリングを特定し、
前記基地局デバイスが復調参照信号の配置に基づいて特定した前記ePDCCH位置指示情報に基づいて前記端末デバイス探索空間におけるePDCCHを検出し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれることを含む方法。
【請求項１８】
基地局デバイスと端末デバイスとを備える通信システムであって、
前記基地局デバイスは、
復調参照信号の配置に基づいて、前記ePDCCHの端末デバイス探索空間における位置を指示するためのePDCCH位置指示情報を特定し、前記ePDCCHは、前記端末デバイスの制御情報を含み且つ複数の強化制御チャンネルエレメントによりアグリゲーションされ，強化制御チャンネルエレメント毎にリソースエレメントのセットが含まれ、
前記端末デバイスに対して前記ePDCCH位置指示情報を含むシグナリングを生成するように配置される回路を備え、
前記端末デバイスは、
前記基地局デバイスから前記ePDCCH位置指示情報を含むシグナリングを特定し、
前記ePDCCH位置指示情報に基づいて前記端末デバイス探索空間におけるePDCCHを検出するように配置される回路を備える通信システム。
【請求項１９】
コマンドが記憶された一時的でないコンピュータの読取可能な媒体であって、
前記コマンドは、処理回路により実行される時に、
復調参照信号の配置に基づいて前記ePDCCHの端末デバイス探索空間における位置を指示するためのePDCCH位置指示情報を特定し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれ、
前記端末デバイスに対して前記ePDCCH位置指示情報を含むシグナリングを生成することを含む強化物理下りリンク制御チャンネルePDCCHを配置する方法を行う媒体。
【請求項２０】
コマンドが記憶された一時的でないコンピュータの読取可能な媒体であって、
前記コマンドは、処理回路により実行される時に、
基地局デバイスから、前記ePDCCHの端末デバイス探索空間における位置を指示するePDCCH位置指示情報を含むシグナリングを特定し、
前記基地局デバイスが復調参照信号の配置に基づいて特定した前記ePDCCH位置指示情報に基づいて前記端末デバイス探索空間におけるePDCCHを検出し、前記ePDCCHは、前記端末デバイスの制御情報を含み、かつ複数の強化制御チャンネルエレメントによりアグリゲーションされ，強化制御チャンネルエレメント毎にリソースエレメントのセットが含まれることを含む強化物理下りリンク制御チャンネルePDCCHを検出する方法を行う媒体。
【手続補正２】
【補正対象書類名】明細書
【補正対象項目名】０００６
【補正方法】変更
【補正の内容】
【０００６】
本発明の一実施例によれば、強化物理下りリンク制御チャンネルePDCCHを配置する基地局デバイスであって、復調参照信号の配置に基づいて前記ePDCCHの端末デバイス探索空間における位置を指示するためのePDCCH位置指示情報を特定し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれ、前記端末デバイスに対して前記ePDCCH位置指示情報を含むシグナリングを生成するように配置される回路を備える基地局デバイスを提供する。
【手続補正３】
【補正対象書類名】明細書
【補正対象項目名】０００７
【補正方法】変更
【補正の内容】
【０００７】
前記の基地局デバイスにおいて、前記ePDCCH位置指示情報は、前記ePDCCHの前記端末デバイス探索空間における、前記端末デバイス探索空間のアグリゲーションレベルに基づいて特定されたスタート位置を含む。
【手続補正４】
【補正対象書類名】明細書
【補正対象項目名】００１０
【補正方法】変更
【補正の内容】
【００１０】
前記の基地局デバイスにおいて、前記回路は、更に、物理リソースブロックペアPRB-pairにおける未使用のブランクリソースエレメントを特定し、前記ePDCCH位置指示情報がロードされたシグナリングを含むサブフレームが得られるように前記ePDCCH位置指示情報を前記ブランクリソースエレメントにロードするように配置される。
【手続補正５】
【補正対象書類名】明細書
【補正対象項目名】００１１
【補正方法】変更
【補正の内容】
【００１１】
前記の基地局デバイスにおいて、前記回路は、前記ブランクリソースエレメントの数に基づいて、集中的なマッピング形式で前記シグナリングを集中的に１つ又は複数の連続的なリソースブロックペアPRB-pairに配置し、または、分布的なマッピング形式で前記シグナリングを分布的に複数のリソースブロックペアPRB-pairに配置する。
【手続補正６】
【補正対象書類名】明細書
【補正対象項目名】００１２
【補正方法】変更
【補正の内容】
【００１２】
前記の基地局デバイスにおいて、前記回路は、前記ブランクリソースエレメントの数に基づいて、前記シグナリングに対して長さの異なるビットを採用してエンコードする。
【手続補正７】
【補正対象書類名】明細書
【補正対象項目名】００１３
【補正方法】変更
【補正の内容】
【００１３】
前記の基地局デバイスにおいて、前記回路は、端末デバイス識別子情報に基づいて、１つの端末デバイスが１つのリソースブロックペアPRB-pairに対応するマッピング形式、１つの端末デバイスが複数のリソースブロックペアPRB-pairに対応するマッピング形式、複数の端末デバイスが１つのリソースブロックペアPRB-pairに対応するマッピング形式、及び複数の端末デバイスが複数のリソースブロックペアPRB-pairに対応するマッピング形式のうちのいずれか１つに従って、前記端末デバイスと前記リソースブロックペアPRB-pairに対してマッピングを行う。
【手続補正８】
【補正対象書類名】明細書
【補正対象項目名】００１４
【補正方法】変更
【補正の内容】
【００１４】
前記の基地局デバイスにおいて、前記回路は、更に、物理下りリンク制御チャンネルPDCCHにロードされたOFDMシンボルの個数と共有参考信号のポート数とを含む通信システムのシステム配置情報に基づいて前記ePDCCH位置指示情報を特定するように配置される請求項１に記載の基地局デバイス。
【手続補正９】
【補正対象書類名】明細書
【補正対象項目名】００１５
【補正方法】変更
【補正の内容】
【００１５】
本発明の別の実施例によれば、強化物理下りリンク制御チャンネルePDCCHを配置する方法であって、復調参照信号の配置に基づいて前記ePDCCHの端末デバイス探索空間における位置を指示するためのePDCCH位置指示情報を特定し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれ、前記端末デバイスに対して前記ePDCCH位置指示情報を含むシグナリングを生成することを含む方法を提供する。
【手続補正１０】
【補正対象書類名】明細書
【補正対象項目名】００２４
【補正方法】変更
【補正の内容】
【００２４】
本発明の別の実施例によれば、強化物理下りリンク制御チャンネルePDCCHを検出する端末デバイスであって、強化物理下りリンク制御チャンネルePDCCHを検出する端末デバイスであって、基地局デバイスから前記ePDCCHの端末デバイス探索空間における位置を指示するePDCCH位置指示情報を含むシグナリングを特定し、前記基地局デバイスが復調参照信号の配置に基づいて特定した前記ePDCCH位置指示情報に基づいて前記端末デバイス探索空間におけるePDCCHを検出し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれるように配置される回路を備える端末デバイスを提供する。
【手続補正１１】
【補正対象書類名】明細書
【補正対象項目名】００２５
【補正方法】変更
【補正の内容】
【００２５】
前記の端末デバイスにおいて、前記ePDCCH位置指示情報は、前記ePDCCHの前記端末デバイス探索空間における、前記端末デバイス探索空間のアグリゲーションレベルに基づいて特定されたスタート位置を含む。
【手続補正１２】
【補正対象書類名】明細書
【補正対象項目名】００２８
【補正方法】変更
【補正の内容】
【００２８】
前記の端末デバイスにおいて、前記回路は、端末デバイス識別子情報に基づいて、前記ePDCCH位置指示情報が配置されたリソースブロックペアPRB-pairを特定する。
【手続補正１３】
【補正対象書類名】明細書
【補正対象項目名】００３０
【補正方法】変更
【補正の内容】
【００３０】
本発明の別の実施例によれば、強化物理下りリンク制御チャンネルePDCCHを検出する方法であって、基地局デバイスから前記ePDCCHの端末デバイス探索空間における位置を指示するePDCCH位置指示情報を含むシグナリングを特定し、前記基地局デバイスが復調参照信号の配置に基づいて特定した前記ePDCCH位置指示情報に基づいて前記端末デバイス探索空間におけるePDCCHを検出し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれることを含む方法を提供する。
【手続補正１４】
【補正対象書類名】明細書
【補正対象項目名】００３６
【補正方法】変更
【補正の内容】
【００３６】
本発明の別の実施例によれば、基地局デバイスと端末デバイスとを備える通信システムであって、前記基地局デバイスは、復調参照信号の配置に基づいて、前記ePDCCHの端末デバイス探索空間における位置を指示するためのePDCCH位置指示情報を特定し、前記ePDCCHは、前記端末デバイスの制御情報を含み且つ複数の強化制御チャンネルエレメントによりアグリゲーションされ，強化制御チャンネルエレメント毎にリソースエレメントのセットが含まれ、前記端末デバイスに対して前記ePDCCH位置指示情報を含むシグナリングを生成するように配置される回路を備え、前記端末デバイスは、前記基地局デバイスから前記ePDCCH位置指示情報を含むシグナリングを特定し、前記ePDCCH位置指示情報に基づいて前記端末デバイス探索空間におけるePDCCHを検出するように配置される回路を備える通信システムを提供する。
【手続補正１５】
【補正対象書類名】明細書
【補正対象項目名】００３７
【補正方法】変更
【補正の内容】
【００３７】
本発明の別の実施例によれば、コマンドが記憶された一時的でないコンピュータの読取可能な媒体であって、前記コマンドは、処理回路により実行される時に、復調参照信号の配置に基づいて前記ePDCCHの端末デバイス探索空間における位置を指示するためのePDCCH位置指示情報を特定し、前記ePDCCHは、前記端末デバイスの制御情報を含み、かつ複数の強化制御チャンネルエレメントによりアグリゲーションされ、強化制御チャンネルエレメント毎にリソースエレメントのセットが含まれ、前記端末デバイスに対して前記ePDCCH位置指示情報を含むシグナリングを生成することを含む強化物理下りリンク制御チャンネルePDCCHを配置する方法を行う媒体を提供する。
【手続補正１６】
【補正対象書類名】明細書
【補正対象項目名】００３８
【補正方法】変更
【補正の内容】
【００３８】
本発明の別の実施例によれば、コマンドが記憶された一時的でないコンピュータの読取可能な媒体であって、前記コマンドは、処理回路により実行される時に、基地局デバイスから、前記ePDCCHの端末デバイス探索空間における位置を指示するePDCCH位置指示情報を含むシグナリングを特定し、前記基地局デバイスが復調参照信号の配置に基づいて特定した前記ePDCCH位置指示情報に基づいて前記端末デバイス探索空間におけるePDCCHを検出し、前記ePDCCHは、前記端末デバイスの制御情報を含み、かつ複数の強化制御チャンネルエレメントによりアグリゲーションされ，強化制御チャンネルエレメント毎にリソースエレメントのセットが含まれることを含む強化物理下りリンク制御チャンネルePDCCHを検出する方法を行う媒体を提供する。
【国際調査報告】
2015536079.tif 000027
2015536079.tif 000028
2015536079.tif 000029
2015536079.tif 000030